(57)【要約】      （修正有）【課題】平坦面に置いたときの安定性を高め，倒れにくい自立性包装体を提供する。【解決手段】自立性包装体１Ａは，台紙10Ａと，商品30を収納するブリスターケース20とを含む。台紙10Ａは，立設される後面部15と，上記後面部15の下部に連設され，接地面と平行に設けられる底面部13を含む脚部とを備えている。背面部15には一対の切込み16が形成されており，この切込み16にブリスターケース20のフランジ部24が挿入されている。上記底面部13上にブリスターケース20の底面部が載置されている。【選択図】図１
2018100116.tif 000002
【特許請求の範囲】
【請求項１】
商品収納体によって覆われた商品を，前方向または前後方向に突出させた状態で台紙に保持する自立性包装体であって，
上記台紙は，立設される平面状パネル部と，上記平面状パネル部の下部に連設され，接地面と平行に設けられる底面部を含む脚部とを備え，
上記平面状パネル部に上記商品収納体を保持する切込みまたは窓枠が形成されており，
上記脚部の底面部上に上記商品収納体または商品の底部が載置されている，
自立性包装体。
【請求項２】
上記商品収納体は，商品を収納する凸状収容部と上記凸状収容部の開口の少なくとも両側にフランジ部を備えるブリスターケースである，
請求項１に記載の自立性包装体。
【請求項３】
上記商品収納体は，上記平面状パネル部に貼られ，上記商品に密着するフィルムである，
請求項１に記載の自立性包装体。
【請求項４】
上記脚部は斜め下方に傾斜する傾斜面部を備え，上記傾斜面部の先端に上記底面部が連設されており，
上記傾斜面部に上記商品収納体の通過を許す商品通過孔があけられている，
請求項１から３のいずれか一項に記載の自立性包装体。
【請求項５】
上記商品通過孔の縁部が上記商品収納体に接している，
請求項４に記載の自立性包装体。
【請求項６】
上記平面状パネル部の下端に，前後方向に広がる上記底面部が連設されている，
請求項１から３のいずれか一項に記載の自立性包装体。
【請求項７】
上記底面部と上記平面状パネル部分とを垂直に保持するための固定部材が上記底面部に連設されている，
請求項６に記載の自立性包装体。
【請求項８】
上記台紙の平面状パネル部が１枚のパネル部材によって構成されている，
請求項１に記載の自立性包装体。
【請求項９】
上記台紙の平面状パネル部が重ね合わされる２枚のパネル部材によって構成されている，
請求項１に記載の自立性包装体。
【請求項１０】
上記２枚のパネル部材の下端のそれぞれに，第１，第２の底面部がそれぞれ連設されている，
請求項９に記載の自立性包装体。
【請求項１１】
接着または係合によって上記２枚のパネル部材の重ね合わせが保持される，
請求項９または１０に記載の自立性包装体。
【発明の詳細な説明】
【技術分野】
【０００１】
この発明は自立性包装体に関する。
【背景技術】
【０００２】
特許文献１は，平坦面に自立可能な，台紙とブリスターカバーとを備えるブリスター容器を開示する。台紙は前後に重なる一対の前側および後側シートから形成され，前側シートにブリスターカバーの収納部が通る孔があけられている。
【０００３】
ブリスターカバーの収納部の周囲のフランジ部が前側シートと後側シートの間に挟まれ，ブリスターカバーの収納部はその前面が上記前側シートにあけられた孔から前側シートよりも前に出る。ブリスターカバーの収納部は前側シートにあけられた孔の下縁によって下側から支持される。ブリスターカバーの収納部は孔の下縁によって下側から線状に支持されることになるので，ブリスターカバーに収納する商品が重い場合には不安定な状態となる，または孔の下縁が破損するおそれがある。また，ブリスターカバーの収納部の前面には支えがなく，ブリスターカバーは前後方向に傾きやすい。
【先行技術文献】
【特許文献】
【０００４】
【特許文献１】特開２０１４−１３３５８５号公報
【発明の開示】
【０００５】
この発明は，平坦面に置いたときの安定性を高め（換言すると，自立性を高める，自立機能を持たせる），倒れにくい自立性包装体の提供を目的とする。
【０００６】
この発明による自立性包装体は，商品収納体によって覆われた商品を，前方向または前後方向に突出させた状態で台紙に保持するものである。上記台紙は，立設される平面状パネル部と，上記平面状パネル部の下部に連設され，接地面と平行に設けられる底面部を含む脚部とを備え，上記平面状パネル部に上記商品収納体を保持する切込みまたは窓枠が形成されており，上記脚部の底面部上に上記商品収納体または商品の底面部が載置されている。
【０００７】
商品収納体によって少なくとも一部が覆われた商品が台紙に保持される（一体とされる）。一実施態様では，商品収納体は，商品を収納する凸状収容部と上記凸状収容部の開口の少なくとも両側にフランジ部を備えるブリスターケースである。ブリスターケースが台紙に保持されることによって，ブリスターケースの凸状収納部に収納された商品が台紙に保持される。他の実施態様では，上記商品収納体は，上記平面状パネル部に貼られ，上記商品に密着するフィルムである。平面状パネル部に貼られるフィルムによって商品を覆うことによって商品が台紙に保持される。
【０００８】
台紙は，立設される平面状パネル部と，上記平面状パネル部の下部に連設され，接地面と平行に設けられる底面部を含む脚部とを備えるもので，上記平面状パネル部から商品収納体が外方に突出する。平面状パネル部から一方向（前方向）に突出するように商品収納体を台紙に保持しても，平面状パネル部から両方向（前後方向）に突出するように商品収納体を台紙に保持してもよい。
【０００９】
台紙の平面状パネル部は，１枚のパネル部材によって構成することもできるし，前後に重ね合わせた２枚のパネル部材によって構成することもできる。２枚のパネル部材を用いる場合には，好ましくは接着または係合によって２枚のパネル部材の重ね合わせが保持される。商品収納体を外方に突出させた状態で平面状パネル部に保持するために，平面状パネル部には切り込みまたは窓枠が形成されている。
【００１０】
この発明によると，商品収納体または商品自体の底部が台紙の脚部の底面部上に載置される。商品収納体に収納される商品の重さを脚部の底面部にかけ，脚部の底面部を接地面に押さえつけることができるので，自立性包装体の自立性が高められる。商品収納体または商品の底部と脚部の底面部とを比較的広く接触させることができるので，自立性包装体を平坦面に置いたときの安定性は高い。
【００１１】
一実施態様では，上記脚部は斜め下方に傾斜する傾斜面部を備え，上記傾斜面部の先端に上記底面部が連設されており，上記傾斜面部に上記商品収納体の通過を許す商品通過孔があけられている。傾斜面部が斜めに張られるので脚部の強度が向上し，より安定して自立性包装体を自立させることができる。傾斜面部にあけられた商品通過孔に商品収納体を通すことで，商品収納体または商品の底部を脚部の底面部上に載置することができる。
【００１２】
他の実施態様では，上記商品通過孔の縁部が上記商品収納体に接している。商品通過孔は斜め下方に傾斜する傾斜面部に形成されているので，傾斜面部に形成された商品通過孔の縁部によって商品収納体の周囲を支える（囲む）ことができ，商品収納体が前後方向の動きを規制することができる。自立性包装体の姿勢を安定させることができる。
【００１３】
他の実施態様では，上記平面状パネル部の下端に前後方向に広がる上記底面部が連設されている。最もシンプルな脚部の形態であり，側方から見ると，立設される平面状パネル部と脚部の底面部が前方向および後ろ方向のそれぞれにＬ字型に設けられることになる。脚部の底面部上に載置される商品収納体に収納された商品の重みによって自立性包装体の安定性が確保される。
【００１４】
台紙の平面状パネル部が１枚のパネル部材によって構成されている場合には，平面状パネル部の下端につながる底面部を途中で折り返すことで，平面状パネル部の前後方向に底面部を設けることができる。台紙の平面状パネル部が重ね合わされる２枚のパネル部材によって構成されている場合には，２枚のパネル部のそれぞれの下端につながる底面部によって，平面状パネル部の前後方向のそれぞれに底面部を設けることができる。
【００１５】
好ましくは，上記底面部と上記平面状パネル部分とを垂直に保持するための固定部材が上記脚部の底面部に連設されている。脚部の底面部と平面状パネル部材の配置（姿勢）が固定されるので，自立性包袋体の安定性が確保される。
【図面の簡単な説明】
【００１６】
【図１】第１実施例の自立性包装体の斜視図である。
【図２】図１のII−II線に沿う断面図である。
【図３】第１実施例の自立性包装体を構成する台紙の展開図である。
【図４】第２実施例の自立性包装体の斜視図である。
【図５】図４のＶ−Ｖ線に沿う断面図である。
【図６】第２実施例の自立性包装体を構成する台紙の展開図である。
【図７】第３実施例の自立性包装体の斜視図である。
【図８】第３実施例の自立性包装体を構成する台紙の展開図である。
【図９】第４実施例の自立性包装体の斜視図である。
【図１０】第４実施例の自立性包装体を構成する台紙の展開図である。
【図１１】第５実施例の自立性包装体の斜視図である。
【図１２】図１１のXII−XII線に沿う断面図である。
【図１３】第５実施例の自立性包装体を構成する台紙の展開図である。
【図１４】第６実施例の自立性包装体の斜視図である。
【図１５】第６実施例の自立性包装体を構成する台紙の展開図である。
【図１６】第７実施例の自立性包装体の斜視図である。
【図１７】第７実施例の自立性包装体を構成する台紙の展開図である。
【図１８】第８実施例の自立性包装体の斜視図である。
【図１９】第８実施例の自立性包装体を構成する台紙の展開図である。
【実施例１】
【００１７】
図１から図３は第１実施例を示すもので，図１は第１実施例の自立性包装体１Ａの斜視図を，図２は図１のII−II線に沿う断面図を，図３は自立性包装体１Ａを構成する台紙10Ａの展開図を，それぞれ示している。図３において折られる箇所が一点鎖線で示されている。
【００１８】
図１を参照して，自立性包装体１Ａは，台紙10Ａとブリスターケース20とを備えている。
【００１９】
台紙10Ａは一枚の厚紙によりつくられる。厚紙は，ボール紙，板紙，ミルクカートン用紙，画用紙，ケント紙，段ボール等を含み，いわゆる合成紙（積層紙），複合紙でもよく，各種プラスチックを積層（たとえば表面にラミネート）したものでもよい。
【００２０】
ブリスターケース20は透明または半透明の比較的硬質のプラスチック製のもので，商品30を収納するための空間（凸状収納部）21を備える。凸状収納部21の天面部22および底面部23はほぼ平坦につくられている。凸状収納部21の背面側は開口しており，背面開口の上辺と両側辺（下部を除く）の周囲にフランジ部24が形成されている。凸状収納部21の背面開口は厚紙やフィルムシールによって閉じていてもよい。
【００２１】
図３に示す展開図を折ることで，台紙10Ａは図１に示すように立体的に組み立てられる。展開状態の台紙10Ａは，折り線Ｌ１，Ｌ２，Ｌ３を介して縦向きに連設された後面部（壁面部）15，前方傾斜部12，底面部13および後面立設部14を備える。折り線Ｌ１〜Ｌ３には折りやすくするために好ましくはミシン目，浅い切込み，折りぐせ等が付与される。前方傾斜部12と底面部13の間には脚用突片12Ｂを形成するための凸状の２つの切込みＫ２が間隔をあけて形成されている。底面部13と後面立設部14の間にも脚用突片13Ｄを形成するための凸状の２つの切込みＫ３が間隔をあけて形成されている。
【００２２】
後面部15には一対（２本）の切り込み41が縦向きに間隔をあけて形成されている。一対の切り込み41の上端のそれぞれには互いに近づく向きに滑らかに曲がる弧状の切り込み41ａがつながっており，下端のそれぞれには互いに離れる向きにほぼ直角に曲がり，途中で斜め上向きに曲がる切り込み41ｂがつながっている。後述するように，切り込み下端41ｂはブリスターケース20の両側のフランジ部24の差し込み口として用いられる。切り込み上端41ａはブリスターケース20のスライド移動を止めるために用いられる。
【００２３】
後面部15と前方傾斜部12の間の折り線Ｌ１に近い位置の一対の切り込み41の間に，横向きにのびる切り込みＫ１が形成されている。切り込みＫ１は後面立設部14の下端に形成された三角差し込み片14Ａを差込むために用いられる。三角差し込み片14Ａを切り込みＫ１に差し込みやすくするために，後面部15の切り込みＫ１の中央下部には半円形の孔15ｃが形成されている。
【００２４】
後面部15の上部に円形のフック孔15ａがあけられている。自立性包装体１Ａは後述するように自立させて陳列することができるとともに，フック孔15ａを用いてフックに掛けて陳列することもできる。
【００２５】
後面部15の下端につながる前方傾斜部12に，商品通過孔12Ａがあけられている。商品通過孔12Ａは，その基端が折り線Ｌ１に接し，弧状の先端が底面部13に向かう外形を持つ。後述するように，この商品通過孔12Ａに商品30が収納されたブリスターケース20が通される。
【００２６】
台紙10にブリスターケース20を組み合わせるときには，商品30が収納されたブリスターケース20のフランジ部24の上端両側部を，後面部15に形成された一対の切り込み下端（差し込み口）41ｂにそれぞれ差し込む。ブリスターケース20を上向きにスライドさせると，ブリスターケース20は，フランジ部24の両側部が切り込み41に差し込まれた状態で，切り込み41に沿って移動する。フランジ部24の上端縁が切り込み上端41ａに至るとそこで移動はストップする。一対の切り込み41の間には後面部15が位置するので，ブリスターケース20（商品30）が後面がわに抜け落ちることはない。なお，後面部15に形成された一対の切り込み41の幅はブリスターケース20の凸状収納部21の幅とほぼ等しくするとよい。一対の切り込み41によってブリスターケース20の凸状収納部21の両側がガイドされるので，ブリスターケース20をスムーズに移動させることができる。
【００２７】
次に脚部の組立てに進む。折り線Ｌ１を山折りし，前方傾斜部12を持ち上げる。折り線Ｌ２，Ｌ３を山折りし，後面部15の背面がわから三角差し込み片14Ａを切り込みＫ１に差し込む。折り線Ｌ１において前方傾斜部12を鈍角に谷折りし，折り線Ｌ２において底面部13を鋭角に山折りし，折り線Ｌ３において後面立設部14をほぼ直角に山折りする。図１，図２に示すように，前方傾斜部12が前方斜め下方に突き出し，底面部13が接地面と平行となり，後面立設部14が接地面から垂直に立ち上がる形態がつくられる。組み立てられた台紙10Ａの前方傾斜部12の下端からは２つの脚用突片12Ｂがわずかに前方に飛び出す。底面部13の後方縁部からは２つの脚用突片13Ｄが後方に飛び出す。
【００２８】
前方傾斜部12を鈍角に折るときに，ブリスターケース20の下部が前方傾斜部12にあけられた商品通過孔12Ａに入れられ，これによって自立性包装体１Ａが完成する。
【００２９】
ブリスターケース20は台紙10に固定はされていない。図２を参照して，自立性包装体１Ａを立てると，ブリスターケース20の底面部23が台紙10Ａの底面部13上に載る。ブリスターケース20に収納された商品30の重さによって自立性包装体１Ａを安定的に自立させることができる。また，ブリスターケース20の凸状収納部21の下部が前方傾斜部12にあけられた商品通過孔12Ａの縁部によって囲まれる（支えられる）ので，ブリスターケース20が前後方向に傾いてしまうことが抑制され，これも自立性包装体１Ａの安定性を向上させる。
【実施例２】
【００３０】
図４から図６は第２実施例を示すもので，図４は第２実施例の自立性包装体１Ｂの斜視図を，図５は図４のＶ−Ｖ線に沿う断面図を，図６は自立性包装体１Ｂを構成する台紙10Ｂの展開図を，それぞれ示している。第１実施例の自立性包装体１Ａを構成する部材と同一部材には同一符号を付し，重複した詳細な説明は避ける。このことは後述する他の実施例も同様である。
【００３１】
図６を参照して，台紙10Ｂは縦向きにのびる折り線Ｌ１を境界にして横向き（左右方向）に連設された前面部11と後面部15を備える。折り線Ｌ１において前面部11または後面部15が折り返されることで，前面部11と後面部15とは前後に重ね合わされる。
【００３２】
前面部11の下端に折り線Ｌ２を介して前方傾斜部12が連設され，前方傾斜部12の下端に折り線Ｌ３を介して第１底面部13が連設されている。第１底面部13の下端中央には折り線Ｌ５を介して三角差し込み片13Ｃが連設されている。後面部15の下端には折り線Ｌ４を介して第２底面部16が連設され，後面部15と第２底面部16の間には三角差し込み片13Ｃを差し込むための切り込みＫ１が形成されている。前方傾斜部12および第１底面部13の左端は後面部15および第２底面部16の右端とはつながっておらず，これらの境界には切り込みが入れられている。
【００３３】
前面部11に商品窓11Ａがあけられており，前方傾斜部12には商品窓11Ａに連続するようにして商品通過孔12Ａがあけられている。後述するように，商品窓11Ａを通してブリスターケース20の凸状収納部21の大部分が前面部11の前方に露出（突出）する。商品窓11Ａは，ブリスターケース20の凸状収納部21の形状に応じた，好ましくはほぼ合致した形状を持ち，その大きさもブリスターケース20の凸状収納部21の大きさに応じたものとされる。
【００３４】
前面部11の商品窓11Ａの上方の枠部に円形のフック孔11ａがあけられている。後面部15の上部にも円形のフック孔15ａがあけられている。折り線Ｌ１の位置で台紙10Ｂが折られるとこれらの２つのフック孔11ａ，15ａが重なり合う。
【００３５】
後面部15の裏面がわに商品30を収納したブリスターケース20を置く。折り線Ｌ１を山折りし，前面部11を後面部15に重ね合わせる。重ね合わせるとき，ブリスターケース20の凸状収納部21が商品窓11Ａおよび商品通過孔12Ａを通って外に露出し，フランジ部24が前面部11と後面部15との間（窓枠）に挟まれる。折り線Ｌ２を谷折りし，Ｌ３，Ｌ４，Ｌ５を山折りし，第１底面部13の下端の三角差し込み片13Ｃを切り込みＫ１に差し込む。折り線Ｌ２において前方傾斜部12を鈍角に折り，折り線Ｌ３において第１底面部13を鋭角に折り，折り線Ｌ４において第２底面部16をほぼ直角に折る。図４，図５に示すように，前方傾斜部12が前方斜め下方に突き出し，第１，第２底面部13，16が重ね合わされて接地面と平行となる形態がつくられる。
【００３６】
第１実施例と同様，前方傾斜部12を鈍角に折るときに，ブリスターケース20の下部が前方傾斜部12にあけられた商品通過孔12Ａに入れられる。前面部11の裏面の側部および上部に設けられた糊部Ｎによって前面部11の裏面と後面部15の裏面とを接着し，これによって前面部11と後面部15の前後の重なり合いが保持される。自立性包装体１Ｂが完成する。
【００３７】
第２実施例についても，ブリスターケース20の底面部23が台紙10Ｂの第１，第２底面部13，16上に載置されるので，自立性包装体１Ｂを安定的に自立させることができる。また，ブリスターケース20の凸状収納部21の下部が前方傾斜部12にあけられた商品通過孔12Ａの縁部によって囲まれる（支えられる）。商品30が収納されたブリスターケース20を前後方向にも傾きにくくすることができる。
【実施例３】
【００３８】
図７および図８は第３実施例を示すもので，図７は第３実施例の自立性包装体１Ｃの斜視図を，図８は自立性包装体１Ｃを構成する台紙10Ｃの展開図を，それぞれ示している。
【００３９】
第３実施例の自立性包装体１Ｃは，前面部11および後面部15の側縁部に形成された係合タブ11ｂ，15ｂを用いて前面部11と後面部15の前後の重なりを保持する点が，糊部Ｎを用いて前面部11と後面部15とを接着することで重なりを保持する第２実施例の自立性包装体１Ｂ（図４〜図６）と異なる。
【００４０】
図８を参照して，前面部11の側縁部（折り線Ｌ１と反対側の側縁部）に１対（２つ）の係合タブ11ｂが上下方向に間隔をあけて形成されている。上方に位置する係合タブ11ｂは下向きに弧状に突出する形状の切り込みによって，下方に位置する係合タブ11ｂは上向きに弧状に突出する形状の切り込みによって，それぞれ形成されている。後面部15の側縁部（折り線Ｌ１と反対側の側縁部）にも１対（２つ）の係合タブ15ｂが上下方向に間隔をあけて形成されている。上方に位置する係合タブ15ｂは上向きに弧状に突出する形状の切り込みによって，下方に位置する係合タブ15ｂは下向きに弧状に突出する形状の切り込みによってそれぞれ形成されている。
【００４１】
図７を参照して，折り線Ｌ１の位置で台紙10Ｃが折られると，係合タブ11ｂ，15ｂが互いに重なり合う。重なり合った係合タブ11ｂ，15ｂを交差させて係合タブ11ｂ，15ｂを互いに係合させることで，台紙10Ｃを折り線Ｌ１に沿って折り返した状態，すなわち，前面部11と後面部15とをそれらの裏面同士を向かい合わせて重ねた状態を簡易に保持することができる。糊部Ｎを使用せずに済む。
【実施例４】
【００４２】
図９および図１０は第４実施例を示すもので，図９は第４実施例の自立性包装体１Ｄの斜視図を，図１０は自立性包装体１Ｄを構成する台紙10Ｄの展開図を，それぞれ示している。
【００４３】
第４実施例の自立性包装体１Ｄは，前面部11の側縁および上縁に折り線Ｌ６，Ｌ７を介してそれぞれ連設された延長片18，19を用いて前面部11と後面部15の重なりを保持する（封筒貼りする）点が，前面部11の裏面に設けられる糊部Ｎを用いて前面部11と後面部15の重なりを保持する第２実施例の自立性包装体１Ｂと異なる。封筒貼りであるので，前面部11と後面部15の間を広げて筒状にしやすく，脚部を形成する前に，ブリスターケース20を下側から筒内に容易に入れることができる。
【００４４】
前面部11の側縁に連設された延長片18および前面部11の上縁に連設された延長片19のそれぞれに糊部Ｎが設けられている。延長片18，19を折り返し，その後に後面部15を折り返すことによって，前面部11と後面部15とをそれらの裏面同士を向かい合わせて重ねた状態を保持することができる。前面部11の上縁に連設された延長片19には切り欠き部19ａが形成されているので，延長片19によってフック孔11ａ，15ａが塞がれることはない。
【実施例５】
【００４５】
図１１から図１３は第５実施例を示すもので，図１１は第５実施例の自立性包装体１Ｅの斜視図を，図１２は図１１のXII−XII線に沿う断面図を，図１３は自立性包装体１Ｅを構成する台紙10Ｅの展開図を，それぞれ示している。
【００４６】
第１〜第４実施例と異なり，第５実施例の自立性包装体１Ｅは，ブリスターケースに収納された商品30を，前面がわのみならず後面がわにも突出させるタイプのものである。
【００４７】
図１３を参照して，台紙10Ｅは折り線Ｌ１において横向き（左右方向）に連設された前面部11と後面部15を備える。前面部11の下端に折り線Ｌ２を介して前方傾斜部12が連設され，前方傾斜部12の下端に折り線Ｌ３を介して第１底面部13が連設されている。第１底面部13の下端中央には折り線Ｌ５を介して三角差し込み片13Ｃが連設されている。
【００４８】
後面部15の下端には折り線Ｌ４を介して後方傾斜部36が連設され，後方傾斜部36の下端に折り線Ｌ６を介して第２底面部17が連設されている。後方傾斜部36と第２底面部17の間に三角差し込み片13Ｃが差し込まれる切り込みＫ１がいれられている。
【００４９】
前面部11に商品窓11Ａがあけられており，前方傾斜部12には商品窓11Ａに連続するように商品通過孔12Ａがあけられている。後面部15にも商品窓15Ａがあけられており，後方傾斜部36には商品窓15Ａに連続するように商品通過孔36Ａがあけられている。
【００５０】
図１２を参照して，第５実施例の自立性包装体１Ｅに用いられるブリスターケースは，前方に突き出す凸状収納部21ａを備え，凸状収納部21ａの背面開口の上辺および両側辺にフランジ部24ａが形成された前方ブリスターケース20Ａと，後方に突き出す凸状収納部21ｂを備え，凸状収納部21ｂの背面開口の上辺および両側辺にフランジ部24ｂが形成された後方ブリスターケース20Ｂとを備える。２つの凸状収納部21ａ，21ｂに商品30が収納される。
【００５１】
商品30が収納された前方，後方ブリスターケース20Ａ，20Ｂを挟んだ状態で，折り線Ｌ１に沿って台紙10Ｅを折り，前面部11と後面部15を重ね合わせる。重ね合わせる途中，前方ブリスターケース20Ａの凸状収納部21ａは商品窓11Ａおよび商品通過孔12Ａから前方の外に出る。後方ブリスターケース20Ｂの凸状収納部21ｂは商品窓15Ａおよび商品通過孔36Ａから後方の外に出る。
【００５２】
折り線Ｌ２を谷折りし，折り線Ｌ３を山折りし，前方傾斜部12を鈍角に，第１底面部13を鋭角に折る。折り線Ｌ４を谷折りし，折り線Ｌ６を山折りし，後方傾斜部36を鈍角に，第２底面部17を鋭角に折る。第１底面部13の下端の三角差し込み片13Ｃを折り線Ｌ５において山折りし，切り込みＫ１に差し込む。最後に糊部Ｎによって前面部11の裏面と後面部15の裏面とを接着する。前方傾斜部12，後方傾斜部36を鈍角に折るときに，ブリスターケース20Ａ，20Ｂの下部が前方傾斜部12にあけられた商品通過孔12Ａ，後方傾斜部36にあけられた商品通過孔36Ａに入れられる。自立性包装体１Ｅの組立てが完成する。
【００５３】
図１２を参照して，ブリスターケース20Ａ，20Ｂの底面部23ａ，23ｂが台紙10Ｅの第１，第２底面部13，17上に載るので，自立性包装体１Ｅを安定的に自立させることができる。また，ブリスターケース20Ａの凸状収納部21ａの下部が前方傾斜部12にあけられた商品通過孔12Ａの縁部によって囲まれ（支えられ），ブリスターケース20Ｂの凸状収納部21ｂの下部も後方傾斜部36にあけられた商品通過孔36Ａの縁部によって囲まれる（支えられる）。ブリスターケース20Ａ，20Ｂが前後方向に傾いてしまうことが抑制され，自立性包装体１Ｅの自立安定性は高い。
【実施例６】
【００５４】
図１４および図１５は第６実施例を示すもので，図１４は第６実施例の自立性包装体１Ｆの斜視図を，図１５は自立性包装体１Ｆを構成する台紙10Ｆの展開図を，それぞれ示している。
【００５５】
第６実施例の自立性包装体１Ｆは，その脚部の構成が第１実施例の自立性包装体１Ａ（図１〜図３）と異なっている。
【００５６】
図１５を参照して，後面部15の下部に近い位置の両側縁に係合凹部15ｄがそれぞれ形成されている。係合凹部15ｄの両端（上下端）には互いに向き合う向きにわずかにのびる返し部（爪部）15ｅ，15ｆが形成されている。
【００５７】
後面部15の下端に折り線Ｌ１を介して第１底面部13Ａが，第１底面部13Ａの下端に折り線Ｌ２を介して第２底面部13Ｂが，それぞれ連設されている。第２底面部13Ｂの両側端のそれぞれに，折り線Ｌ３，Ｌ４を介して半円形の外形を有する固定片61が連設されている。固定片61のほぼ中央には係合孔61ａがあけられ，また固定片61の頂部には小さい凹み部61ｂが形成されている。
【００５８】
台紙10Ｆの脚部を組み立てる前に，第１実施例と同様に，商品30が収納されたブリスターケース20のフランジ部24の上端両側部を後面部15に形成された一対の下端切り込み（差し込み口）41ｂにそれぞれ差し込み，ブリスターケース20を上向きにスライドさせる。
【００５９】
折り線Ｌ１において第１底面部13Ａをほぼ直角に谷折りし，折り線Ｌ２において第２底面部13Ｂを山折りして折り返して第１底面部13Ａに重ね合わせる。第２底面部13Ｂの両側縁につながる固定片61を折り線Ｌ３，Ｌ４においてほぼ直角に山折りし，固定片61を，後面部15の両側縁に形成された係合凹部15ｄに向けて押し込む。固定片61の係合孔61ａから凹み部61ｂに至るまでの枠部が，返し部15ｅ，15ｆを乗り越えて係合凹部15ｄ内に入る。自立性包装体１Ｆが完成する。
【００６０】
ブリスターケース20の底面部が台紙10Ｆの第１，第２の底面部13Ａ，13Ｂ上に載るので，自立性包装体１Ｆも安定的に自立させることができる。自立性包装体１Ｆは，上述した第１〜第５実施例の自立性包装体１Ａ〜１Ｅのように商品通過孔があけられた前方（後方）傾斜部を備えていないものの，固定片61によって第１，第２底面部13Ａ，13Ｂと後面部15とがしっかりと固定されるので，自立安定性がよい。
【実施例７】
【００６１】
図１６および図１７は第７実施例を示すもので，図１６は第７実施例の自立性包装体１Ｇの斜視図を，図１７は自立性包装体１Ｇを構成する台紙10Ｇの展開図をそれぞれ示している。
【００６２】
第７実施例の自立性包装体１Ｇは，第５実施例の自立性包装体１Ｅ（図１１〜図１３）と同様，前方向および後方向の両がわにブリスターケース20Ａ，20Ｂの凸状収納部をそれぞれ突出させるタイプのものである。また，前面部11と後面部15の重なり合いの保持には，第３実施例の自立性包装体１Ｃ（図７〜図８）と同様に係合タブ11ｂ，15ｂが用いられる。
【００６３】
前面部11の下端に折り線Ｌ２を介して第１底面部13Ａが，後面部15の下端に折り線Ｌ３を介して第２底面部13Ｂが，それぞれ連設されている。折り線Ｌ１において台紙10Ｇを山折りし，折り線Ｌ２，Ｌ３において前面部11および後面部15がそれぞれ谷折りする。第１底面部13Ａおよび第２底面部13Ｂが反対向きに広がる形態がつくられる。第１，第２底面部13Ａ，13Ｂの両方にブリスターケース20Ａ，20Ｂの底面部が載置される。
【実施例８】
【００６４】
図１８および図１９は第８実施例を示すもので，図１８は第８実施例の自立性包装体１Ｈの斜視図を示している。図１９は自立性包装体１Ｈを構成する台紙10Ｈの展開図を内側となる面（裏面）から示している。
【００６５】
第１〜第７実施例と異なり，第８実施例の自立性包装体１Ｈでは，ブリスターパックではなく，台紙10Ｈの裏面に貼られた透明フィルム50によって商品30が包装される。台紙10Ｈの裏面には糊部Ｎを用いて透明フィルム50が貼られている。透明フィルム50は前面部11から後面部15にわたって広がる大きさを持ち，前面部11にあけられた商品窓11Ａおよび後面部15にあけられた商品窓15Ａの下部を除く大部分が，透明フィルム50によって覆われる。
【００６６】
前面部11の商品窓11Ａまたは後面部15の商品窓15Ａの位置に商品30を置き，折り線Ｌ１に沿って前面部11または後面部15を折返し，前面部11と後面部15を重ね合わせる。重ね合わせる途中，商品30はフィルム50によって覆われ，フィルム50によって覆われた商品30は，前面部11にあけられた商品窓11Ａを通って前面部11の外に出るとともに，後面部15にあけられた商品窓15Ａを通って後面部15の外に出る。フィルム50には伸びを生じるものを用いるのが好ましい。商品窓11Ａ，15Ａから外に出た商品30の表面（下部を除く）にはフィルム50がピッタリと貼り付く。
【００６７】
第４実施例（図９〜図１０）と同様にして延長片18，19を用いて前面部11と後面部15の重なりが保持される（封筒貼り）。第１底面部13Ａおよび第２底面部13Ｂは，第７実施例（図１６〜図１７）と同様に折られて，互いに反対方向を向く。台紙10Ｈにフィルム50によって包装された商品30が固定された自立性包装体１Ｈの組立てが完成する。
【００６８】
商品30の底面部が台紙10Ｈの底面部13Ａ，13Ｂ上に載るので，自立性包装体１Ｈを安定的に自立させることができる。
【符号の説明】
【００６９】
１Ａ，１Ｂ，１Ｃ，１Ｄ，１Ｅ，１Ｆ，１Ｇ，１Ｈ  自立性包装体
10Ａ，10Ｂ，10Ｃ，10Ｄ，10Ｅ，10Ｆ，10Ｆ，10Ｈ  台紙
11  前面部
11Ａ，15Ａ  商品窓
12  前方傾斜部
12Ａ，15Ａ  商品通過孔
13，13Ａ，13Ｂ，16，17  底面部
15  後面部
20，20Ａ，20Ｂ  ブリスターケース
24  フランジ部
36  後方傾斜部
36Ａ  商品通過孔
41  切り込み
61  固定片
【図１】
2018100116.tif 000003
【図２】
2018100116.tif 000004
【図３】
2018100116.tif 000005
【図４】
2018100116.tif 000006
【図５】
2018100116.tif 000007
【図６】
2018100116.tif 000008
【図７】
2018100116.tif 000009
【図８】
2018100116.tif 000010
【図９】
2018100116.tif 000011
【図１０】
2018100116.tif 000012
【図１１】
2018100116.tif 000013
【図１２】
2018100116.tif 000014
【図１３】
2018100116.tif 000015
【図１４】
2018100116.tif 000016
【図１５】
2018100116.tif 000017
【図１６】
2018100116.tif 000018
【図１７】
2018100116.tif 000019
【図１８】
2018100116.tif 000020
【図１９】
2018100116.tif 000021